(57)【要約】【課題】  種々の音声等の演出を楽しめると共に、使用者が自らの操作により演出を発生させることができる面白い玩具を提供する。【解決手段】  取付け部２３Ａ〜２３Ｄを有する玩具本体２０と、取付け部２３Ａ〜２３Ｄに着脱可能に取付けられる機能スイッチ３１Ａ〜３１Ｄと、玩具本体２０に設けられ、機能スイッチ３１Ａ〜３１Ｄが取付け部２３Ａ〜２３Ｄに取付けられたことを検知する検知手段と、玩具本体２０に設けられ、光または音声による演出を行う演出部１２と、玩具本体２０に設けられる制御部と、を備える。制御部は、検知手段により、機能スイッチ３１Ａ〜３１Ｄが玩具本体２０に取付けられたことを検知したとき、演出部１２により第１の演出を行い、押しボタン部３６Ａが操作されたとき、演出部１２により第２の演出を行う。【選択図】  図４
2020138104.tif 000002
【特許請求の範囲】
【請求項１】
少なくとも１つの取付け部を有する玩具本体と、
前記玩具本体に設けられ、前記取付け部に着脱可能に取付けられる可動部材が前記取付け部に取付けられたことを検知する検知手段と、
前記玩具本体に設けられ、光または音声による演出を行う演出部と、
前記玩具本体に設けられる制御部と、を備え、
前記制御部は、前記検知手段により、前記可動部材が前記玩具本体に取付けられたことを検知したとき、前記演出部により第１の演出を行い、さらに前記可動部材の第１の操作部が操作されたとき、前記演出部により第２の演出を行う動作玩具。
【請求項２】
請求項１において、
前記取付け部に着脱可能に取付けられる前記可動部材を有し、
前記可動部材に、当該可動部材の種別を識別するための識別部を設け、
前記玩具本体に、前記識別部から可動部材の種別を識別する識別情報を取得する取得手段を設け、
前記制御部は、前記取得手段で得た前記識別情報に基づいて、前記第１の演出を行う動作玩具。
【請求項３】
請求項１または請求項２において、
前記第１の操作部が設けられ、前記取付け部に着脱可能に取付けられる前記可動部材を有し、
前記制御部は、前記可動部材の第１の操作部が操作されたときに前記第２の演出を行う動作玩具。
【請求項４】
請求項１乃至請求項３のいずれか一項において、
前記玩具本体に、第２の操作部を設け、
前記制御部は、前記第１の演出を行った後、前記第２の操作部が操作されたとき、前記演出部により第３の演出を行う動作玩具。
【請求項５】
請求項１乃至請求項４のいずれか一項において、
前記玩具本体に、第３の操作部を設け、
前記制御部は、前記第２の演出を行った後、前記第３の操作部が操作されたとき、前記演出部により第４の演出を行う動作玩具。
【請求項６】
請求項１乃至請求項５のいずれか一項において、
前記玩具本体に、複数の前記取付け部を各々異なる位置に設けると共に、前記演出部を構成する表示部を設け、
前記制御部は、前記可動部材が操作されたとき、前記可動部材の位置に対応する前記表示部の部位の表示を変化させる動作玩具。
【請求項７】
請求項１乃至請求項６のいずれか一項において、
前記玩具本体は、ベルトにより、使用者の腹部に装着されるものであり、
前記表示部に人の体を模した画像を表示させ、
前記複数の取付け部を少なくとも４箇所以上設けると共に、４箇所の前記取付け部に取付けられる４個の前記可動部材をそれぞれ、前記画像の左右の脚部および左右の腕部からなる４つの部位の表示変化に対応させ、
前記表示部を使用者から見て中央に配置し、
右脚用可動部材を、使用者から見て前記表示部の右側に配置し、右腕用可動部材を、前記右脚用可動部材の右側に配置する一方、
左脚用可動部材を、使用者から見て前記表示部の左側に配置し、前記左腕用可動部材を、左脚用可動部材の左側に配置し、
さらに、前記少なくとも４箇所の取付け部を円弧状に配列することにより、前記右腕用可動部材および前記左腕用可動部材を、使用者側に寄せるようにした動作玩具。
【請求項８】
請求項１乃至請求項７のいずれか一項において、
前記玩具本体は、ベルトにより、使用者の腹部に装着されるものであり、
前記玩具本体の上面を、使用者から見て前下方に傾斜させ、
前記上面に、前記少なくとも４箇所の取付け部および前記表示部を設けた動作玩具。
【請求項９】
少なくとも１つの取付け部を有する玩具本体の前記取付け部に着脱可能に取り付けられる可動部材であり、
前記可動部材は、
使用者により操作可能な操作部と、
前記玩具本体に設けられた検知手段において、前記取付け部に前記可動部材が取り付けられたことを検知するための第１の識別部と、
前記玩具本体に設けられた制御部において前記操作部の操作を認識可能とする第２の識別部と、
を有する可動部材。
【請求項１０】
請求項９において、
前記第２の識別部は前記操作部の操作により突出動作するものであり、前記玩具本体に設けられた制御部において当該突出動作の認識が行われる可動部材。
【発明の詳細な説明】
【技術分野】
【０００１】
本発明は、動作玩具及び可動部材に関するものである。
【背景技術】
【０００２】
読み取られた識別情報に基づいて音声等の演出を行う各種の玩具が提案されている（たとえば、特許文献１参照）。
【０００３】
特許文献１では、トレーディングカードまたはフィギュア等の物品に、物品を特定するデータであるＩＤや、物品が単体で存在するとき再生する音声データや、他の物品と複合形態で存在するときに再生する音声データ等を記憶する記憶手段として非接触ＩＣタグを設け、タグリーダで非接触ＩＣタグに記憶されているデータを読み込む。そして、読み込まれたＩＤや音声再生ルールに基づいて、音声を発生する。
【０００４】
これにより、再生ルールや音声データの内容によって発生する音声を種々に変化させて、リアリティ性、ストーリ性、ゲーム性、等の趣向を持たせることができる。
【０００５】
ところで、使用者が自ら操作を行い、演出を発生させる玩具のニーズが高まる中、簡単な操作で種々の音声等の演出を発生することができる技術が求められている。
【先行技術文献】
【特許文献】
【０００６】
【特許文献１】特開２００２−１２３２７６号公報（図３）
【発明の概要】
【発明が解決しようとする課題】
【０００７】
しかしながら、前述したような特許文献１の玩具においては、発生する音声を種々に変化させることは可能であるものの、使用者の操作により、演出が発生するものではない。従って、自らの操作で演出のタイミングを決め、よりリアルな演出を楽しみたい使用者には、面白みに欠ける。
【０００８】
そこで、本発明は、上記の問題を鑑みてなされたものであり、種々の音声等の演出を楽しめると共に、使用者の操作により演出を発生させることができる面白い玩具を提供することを目的とする。
【課題を解決するための手段】
【０００９】
本発明の動作玩具は、少なくとも１つの取付け部を有する玩具本体と、前記玩具本体に設けられ、前記取付け部に着脱可能に取付けられる可動部材が前記取付け部に取付けられたことを検知する検知手段と、前記玩具本体に設けられ、光または音声による演出を行う演出部と、前記玩具本体に設けられる制御部と、を備え、前記制御部は、前記検知手段により、前記可動部材が前記玩具本体に取付けられたことを検知したとき、前記演出部により第１の演出を行い、さらに前記可動部材の第１の操作部が操作されたとき、前記演出部により第２の演出を行う。
【００１０】
また、本発明の動作玩具において、前記取付け部に着脱可能に取付けられる前記可動部材を有し、前記可動部材に、当該可動部材の種別を識別するための識別部を設け、前記玩具本体に、前記識別部から可動部材の種別を識別する識別情報を取得する取得手段を設け、前記制御部は、前記取得手段で得た前記識別情報に基づいて、前記第１の演出を行うことが好ましい。また、前記第１の操作部が設けられ、前記取付け部に着脱可能に取付けられる前記可動部材を有し、前記制御部は、前記可動部材の第１の操作部が操作されたときに前記第２の演出を行う
【００１１】
また、本発明の動作玩具において、前記玩具本体に、第２の操作部を設け、前記制御部は、前記第１の演出を行った後、前記第２の操作部が操作されたとき、前記演出部により第３の演出を行うことが好ましい。
【００１２】
また、本発明の動作玩具において、前記玩具本体に、第３の操作部を設け、前記制御部は、前記第２の演出を行った後、前記第３の操作部が操作されたとき、前記演出部により第４の演出を行うことが好ましい。
【００１３】
また、本発明の動作玩具において、前記玩具本体に、複数の前記取付け部を各々異なる位置に設けると共に、前記演出部を構成する表示部を設け、前記制御部は、前記可動部材が操作されたとき、前記可動部材の位置に対応する前記表示部の部位の表示を変化させることが好ましい。
【００１４】
また、本発明の動作玩具において、前記玩具本体は、ベルトにより、使用者の腹部に装着されるものであり、前記表示部に人の体を模した画像を表示させ、前記複数の取付け部を少なくとも４箇所以上設けると共に、４箇所の取付け部に取付けられる４個の前記可動部材をそれぞれ、前記画像の左右の脚部および左右の腕部からなる４つの部位の表示変化に対応させ、前記表示部を使用者から見て中央に配置し、右脚用可動部材を、使用者から見て前記表示部の右側に配置し、右腕用可動部材を、前記右脚用可動部材の右側に配置する一方、左脚用可動部材を、使用者から見て前記表示部の左側に配置し、前記左腕用可動部材を、左脚用可動部材の左側に配置し、さらに、前記少なくとも４箇所の取付け部を円弧状に配列することにより、前記右腕用可動部材および前記左腕用可動部材を、使用者側に寄せるようにすることが好ましい。
【００１５】
また、本発明の動作玩具において、前記玩具本体は、ベルトにより、使用者の腹部に装着されるものであり、前記玩具本体の上面を、使用者から見て前下方に傾斜させ、前記上面に、少なくとも４箇所の取付け部および前記表示部を設けることが好ましい。
【００１６】
また、本発明の可動部材は、少なくとも１つの取付け部を有する玩具本体の前記取付け部に着脱可能に取り付けられる可動部材であり、前記可動部材は、使用者により操作可能な操作部と、前記玩具本体に設けられた検知手段において、前記取付け部に前記可動部材が取り付けられたことを検知するための第１の識別部と、前記玩具本体に設けられた制御部において前記操作部の操作を認識可能とする第２の識別部と、を有する。また、本発明の可動部材において、前記第２の識別部は前記操作部の操作により突出動作するものであり、前記玩具本体に設けられた制御部において当該突出動作の認識が行われることが好ましい。
【発明の効果】
【００１７】
本発明によれば、種々の演出を楽しめると共に、使用者が自らの操作により演出を発生させることができる面白い玩具を提供することができる。
【図面の簡単な説明】
【００１８】
【図１】本発明にかかる実施形態の玩具とその使用態様を示す図である。
【図２】玩具の斜視図である。
【図３】玩具の平面図である。
【図４】玩具の正面図である。
【図５】右腕用スイッチの構成を説明する図であり、（Ａ）は斜視図、（Ｂ）は側面図、（Ｃ）は（Ｂ）のＣ−Ｃ線断面図である。
【図６】右脚用スイッチの構成を説明する図であり、（Ａ）は斜視図、（Ｂ）は側面図、（Ｃ）は（Ｂ）のＣ−Ｃ線断面図である。
【図７】左脚用スイッチの構成を説明する図であり、（Ａ）は斜視図、（Ｂ）は側面図、（Ｃ）は（Ｂ）のＣ−Ｃ線断面図である。
【図８】左腕用スイッチの構成を説明する図であり、（Ａ）は斜視図、（Ｂ）は側面図、（Ｃ）は（Ｂ）のＣ−Ｃ線断面図である。
【図９】機能スイッチを底面側から見た斜視図である。
【図１０】機能スイッチの取付け形態を示す取付け部の断面図である。
【図１１】玩具本体の内部構成を示すブロック図である。
【図１２】第１の演出および第２の演出を示すフローチャートである。
【図１３】第３の演出および第４の演出を示すフローチャートである。
【図１４】第２の演出および第４演出の他の態様を示すフローチャートである。
【図１５】機能スイッチの配置による作用を説明する図である。
【発明を実施するための形態】
【００１９】
以下、添付図面を参照して、本発明を実施するための形態（以下、実施形態）について詳細に説明する。なお、実施形態の説明の全体を通して同じ要素には同じ番号を付している。また、前後・左右は、使用者側から見た前後・左右とする。
【００２０】
図１および図２に示すように、本実施形態にかかる玩具１０は、使用者の腰に巻かれるベルト１１により、使用者１の腹部に装着されるものである。玩具１０には、光や音を発する演出部１２が設けられていて、演出部１２には、表示部１３が設けられる。表示部１３には、人を模した画像（ここでは、キャラクターの画像）１４が表示可能である。
【００２１】
使用者１は、キャラクターの動作、たとえば、体の全部または一部を別の形態に変化（いわゆる変身やフォームチェンジ）させたり、変化した腕や脚で機能（いわゆる技）を発動したりする動作を、各種のスイッチを操作することにより画像１４や音声を変化させ、擬似体験することができる。
【００２２】
このような玩具１０の全体構成を図３および図４に基づいて詳細に説明する。図３および図４に示すように、玩具本体２０は、人の腹部に沿うように円弧（図３中、符号２１）状に湾曲した本体基部２２と、本体基部２２から前方に突出する５つの取付け部２３Ａ、２３Ｂ、２３Ｃ、２３Ｄ、２３Ｅとからなる。
【００２３】
取付け部２３Ａ〜２３Ｅの上面は、前下方に傾斜している。また、取付け部２３Ａ〜２３Ｄは、円弧２１に沿うように配列され、取付け部２３Ａ、２３Ｂは、使用者から見て右側に配置され、取付け部２３Ｃ、２３Ｄは、左側に配置される。
【００２４】
取付け部２３Ｅの上面には、液晶の表示部１３が設けられる。表示部１３は、複数のＬＥＤなどにより多色の発光が可能である。表示部１３の画像１４は、直立したキャラクターとして表示され、正面から見ると、使用者と同じ方向を向いて立つように見える。
【００２５】
スイッチ類は、３種に大別され、画像１４の部位（右腕、右脚、左脚、左腕）に対応する４個の機能スイッチ３１Ａ、３１Ｂ、３１Ｃ、３１Ｄと、変身前の演出のための４個の変身スイッチ３２と、変身および技の演出を決定する決定スイッチ３３とからなる。
【００２６】
機能スイッチ３１Ａ〜３１Ｄは、画像１４の部位に対応するように、右腕用スイッチ３１Ａ、右脚用スイッチ３１Ｂ、左脚用スイッチ３１Ｃ、左腕用スイッチ３１Ｄで構成され、それぞれ、○記号、×記号、△記号、□記号を印象付ける形状である。これにより、４個の機能スイッチ３１Ａ〜３１Ｄは、視覚的に区別がつき易くなっている。
【００２７】
なお、以下の説明において、機能スイッチ３１Ａ〜３１Ｄは、体の部位に関連付けて説明する場合、右腕用スイッチ３１Ａ、右脚用スイッチ３１Ｂ、左脚用スイッチ３１Ｃおよび左腕用スイッチ３１Ｄと記載する。
【００２８】
一方、画像１４においても、各部位に○、×、△、□の記号が印される。これにより、図３において破線の矢印で示すように、画像１４の部位と、機能スイッチ３１Ａ〜３１Ｄとの関係が認識しやすい構成とされている。
【００２９】
また、４個の機能スイッチ３１Ａ〜３１Ｄは、各々、取付け部２３Ａ〜２３Ｄの上面に設けられており、円弧２１に沿って配列される。右脚用スイッチ３１Ｂは、表示部１３の右側に配置され、右腕用スイッチ３１Ａは、右脚用スイッチ３１Ｂの右側に配置される。一方、左脚用スイッチ３１Ｃは、表示部１３の左側に配置され、左腕用スイッチ３１Ｄは、左脚用スイッチ３１Ｃの左側に配置される。
【００３０】
さらに、機能スイッチ３１Ａ〜３１Ｄは、取付け部２３Ａ〜２３Ｄに対して着脱自在であり、各々、交換可能である。たとえば、右腕用スイッチ３１Ａの場合、使用中の右腕用スイッチ３１Ａを取外し、別の右腕用スイッチ（図４中、符号４１Ａ）を取付けることができる。本実施形態では、同じ部位同士（たとえば、右脚用スイッチと別の右脚用スイッチ）であれば交換可能であるが、異なる部位同士（たとえば、右脚用スイッチと左脚用スイッチ）では交換できない設定である。
【００３１】
４個の変身スイッチ３２は、取付け部２３Ａ〜２３Ｄの先端部に設けられる。変身スイッチ３２は、取付け部２３Ａ〜２３Ｄの先端開口部２６にて回動自在に支持される基部３２ａと、基部３２ａから先方に突出する操作部３２ｂとからなる。操作部３２ｂは、上下方向（図４中、矢印（１））に回動可能であり、使用者は、操作部３２ｂを操作して、変身スイッチ３２をＯＮ・ＯＦＦする。
【００３２】
決定スイッチ３３は、本体基部２２の側部（ここでは、右腕用スイッチ３１Ａの右側）に配置される。決定スイッチ３３は、本体基部２２に回動自在に設けられる基部３３ａと、基部３３ａから湾曲しながら上に延びるレバー型の操作部３３ｂとからなる。操作部３３ｂは、使用者から見て手前（図３中、矢印（２））に回動可能であり、使用者は、操作部３３ｂを操作して、決定スイッチ３３をＯＮ・ＯＦＦする。
【００３３】
次に、４個の機能スイッチ（右腕用スイッチ３１Ａ、右脚用スイッチ３１Ｂ、左脚用スイッチ３１Ｃおよび左腕用スイッチ３１Ｄ）の構成を図５〜図８に基づいて詳細に説明する。
【００３４】
図５（Ａ）に示すように、右腕用スイッチ３１Ａは、取付け部２３Ａに差込まれる差込み部３４Ａと、差込み部３４Ａの上端に設けられる蓋部３５Ａと、蓋部３５Ａの上に配置される押しボタン部３６Ａと、差込み部３４Ａの下端から突出する左右の端子３７と、差込み部３４Ａの後下部に設けられる係合部３８とからなる。係合部３８には、左右方向に延びる断面コの字状の係合溝３８ａが形成される。
【００３５】
図５（Ｂ）に示すように、押しボタン部３６Ａは、上下方向（図中、矢印（３））に移動可能であり、使用者は、押しボタン部３６Ａを操作することで右腕用スイッチ３１ＡをＯＮ・ＯＦＦする。また、蓋部３５Ａの上面は、前傾している。また、図５（Ｃ）に示すように、差込み部３４Ａの外形は、○記号（図３参照）に対応するように略円形に形成される。
【００３６】
図６（Ａ）に示すように、右脚用スイッチ３１Ｂは、取付け部２３Ｂに差込まれる差込み部３４Ｂと、差込み部３４Ｂの上端に設けられる蓋部３５Ｂと、蓋部３５Ｂの上に配置されるハンドル部３６Ｂと、差込み部３４Ｂの下端から突出する左右の端子３７と、差込み部３４Ｂの後下部に設けられる係合部３８とからなる。
【００３７】
図６（Ｂ）に示すように、ハンドル部３６Ｂは、前後方向（図中、矢印（４））に移動可能であり、使用者は、ハンドル部３６Ｂを操作することで右脚用スイッチ３１ＢをＯＮ・ＯＦＦする。また、蓋部３５Ｂの上面は、前傾している。また、図６（Ｃ）に示すように、差込み部３４Ｂの外形は、×記号（図３参照）に対応するようにＸ字を模した形状に形成される。
【００３８】
図７（Ａ）および（Ｂ）に示すように、左脚用スイッチ３１Ｃは、取付け部２３Ｃに差込まれる差込み部３４Ｃと、差込み部３４Ｃの上端に設けられる蓋部３５Ｃと、蓋部３５Ｃの上に配置されるダイヤル部３６Ｃと、差込み部３４Ｃの下端から突出する左右の端子３７と、差込み部３４Ｃの後下部に設けられる係合部３８とからなる。
【００３９】
ダイヤル部３６Ｃは、鉛直軸周り（図中、矢印（５））に回動可能であり、使用者は、ダイヤル部３６Ｃを操作することで左脚用スイッチ３１ＣをＯＮ・ＯＦＦする。また、蓋部３５Ｃの上面は、前傾している。また、図７（Ｃ）に示すように、差込み部３４Ｃの外形は、△記号（図３参照）に対応するように概略三角形状を呈する。
【００４０】
図８（Ａ）に示すように、左腕用スイッチ３１Ｄは、取付け部２３Ｄに差込まれる差込み部３４Ｄと、差込み部３４Ｄの上端に設けられる蓋部３５Ｄと、差込み部３４Ｄに回動自在に支持され上半部を蓋部３５Ｄから露出したホイール部３６Ｄと、差込み部３４Ｄの下端から突出する左右の端子３７と、差込み部３４Ｄの後下部に設けられる係合部３８とからなる。
【００４１】
図８（Ｂ）に示すように、ホイール部３６Ｄは、水平軸周り（図中、矢印（６））に回動可能であり、使用者は、ホイール部３６Ｄを操作することで左腕用スイッチ３１ＤをＯＮ・ＯＦＦする。また、蓋部３５Ｄの上面は、前傾している。また、図８（Ｃ）に示すように、差込み部３４Ｄの外形は、□記号（図３参照）に対応するように略正方形に形成される。
【００４２】
次に、機能スイッチ３１Ａ〜３１Ｄの底部構造を図９に基づいて説明する。図９に示すように、機能スイッチ３１Ａ〜３１Ｄの各々の底面４２には、識別部４３および識別部４４が設けられる。
【００４３】
識別部４３は、複数（ここでは４箇所）の識別箇所４３ａを有する。各識別箇所４３ａは、凸部４３ｂが形成されるか、または、凸部４３ｂが形成されないかのいずれかの構成を有する。すなわち、識別部４３は、凸部４３ｂの有無と識別箇所４３ａの個数との組合せを識別情報として有し、本実施の形態では、可動部材の種別を識別する識別情報を有している。たとえば、右腕用スイッチ３１Ａにおいて、４個の識別箇所４３ａを設けた場合、２４＝１６（種類）の識別情報を得ることができる。これにより、異なる識別情報が付与された１６種類の右腕用スイッチ３１Ａを得ることができ、さらに４個の機能スイッチ３１Ａ〜３１Ｄを組合せれば、１６４通りの情報が得られる。なお、本実施の形態では、識別部４３は、凸部４３ｂの有無と識別箇所４３ａの個数との組合せで識別情報を判断するようになっているが、これに限られるものではない。例えば、ＩＤタグ等に識別情報を記憶し、玩具本体において該識別情報を読み取る構成としてもよい。しかしながら、本実施の形態の構成にすることにより、より簡単な構成で識別部の識別情報を玩具本体に伝えることが可能である。
【００４４】
識別部４４は、機能スイッチ３１Ａ〜３１Ｄの操作部（押しボタン部３６Ａ、ハンドル部３６Ｂ、ダイヤル部３６Ｃ、ホイール部３６Ｄ）の操作に連動して、上下方向（図９中、矢印（７））に動作する。本実施の形態では、機能スイッチ３１Ａ〜３１Ｄの操作部（押しボタン部３６Ａ、ハンドル部３６Ｂ、ダイヤル部３６Ｃ、ホイール部３６Ｄ）を操作することにより、識別部４４が突出し、機能スイッチ３１Ａ〜３１ＤがＯＮされるように設定されている。すなわち、識別部４４の動作は、ＯＮ・ＯＦＦの信号として検知され、制御部（後述）に送られる。なお、本実施の形態では、識別部４４は、可動部材の操作部が操作されると突出し、玩具本体においてＯＮ・ＯＦＦの信号として検知され、制御部に送られるようになっているが、これに限られるものではない。例えば、識別部を発光部や信号出力部とし、操作部が操作されると発光や信号が出力されるようにしてもよい。しかしながら、本実施の形態の構成にすることにより、より簡単な構成で可動部材の操作部の操作を玩具本体に伝えることが可能である。
【００４５】
次に、機能スイッチ３１Ａ〜３１Ｄの取付け形態を図１０に基づいて説明する。ここでは、右腕用スイッチ３１Ａの取付け形態を説明するが、右脚用スイッチ３１Ｂ、左脚用スイッチ３１Ｃおよび左腕用スイッチ３１Ｄについては、差込み穴の内形以外の構成は、右腕用スイッチ３１Ａの場合と同様であるため、説明を省略する。
【００４６】
図１０に示すように、取付け部２３Ａの上部には、鉛直方向に軸線を有する差込み穴２７が設けられる。差込み穴２７の内形は、右腕用スイッチ３１Ａの差込み部３４Ａの外形（図５（ｃ）参照）と同様の形状に形成される。従って、右腕用スイッチ３１Ａが取付けられる差込み穴２７には、他の機能スイッチ３１Ｂ〜３１Ｄは差込めない。すなわち、差込み穴２７は、右腕用スイッチ３１Ａ専用の穴であり、他の機能スイッチ３１Ｂ〜３１Ｄの差込み穴についても同様に専用の差込み穴が設けられる。
【００４７】
差込み穴２７の後下部には、圧縮コイルばね２８で前方に付勢された突起体２９が出没可能に設けられる。右腕用スイッチ３１Ａが差込まれると、係合溝３８ａに突起体２９の先端が嵌るため、差込み穴２７に右腕用スイッチ３１Ａがしっかりと嵌る。右腕用スイッチ３１Ａが取付けられたとき、蓋部３５Ａの上面は、取付け部２３Ａの上面と略同じ傾斜角で前傾している。
【００４８】
次に、玩具本体の内部構成を図１１に基づいて説明する。図１１に示すように、玩具本体２０の内部には、制御部４５および電池４６が設けられる。制御部４５と電池４６は、電源スイッチ４７を介して接続される。従って、電源スイッチ４７をＯＮにすると、制御部４５に電流が流れて制御を開始する。
【００４９】
制御部４５には、第１検知手段４８、第２検知手段４９および取得手段５１が接続される。第１検知手段４８は、機能スイッチ３１Ａ〜３１Ｄの着脱を検知し、検知した情報を制御部４５に送る。第１検知手段４８として、突起体２９（図１０参照）を用いてもよい。取得手段５１は、機能スイッチ３１Ａ〜３１Ｄの識別部４３の形状を読み取り、識別情報として制御部４５に送る。第２検知手段４９は、識別部４４の動作から機能スイッチ３１Ａ〜３１Ｄの操作の有無を検知し、検知した情報を制御部４５に送る。また、制御部４５には、変身スイッチ３２、決定スイッチ３３が接続され、変身スイッチ３２、決定スイッチ３３のＯＮ・ＯＦＦの情報が制御部４５に送られる。また、制御部４５には、メモリ５２が接続されており、予め、所定の識別情報およびこれらの組合せに対する動作が設定されている。また、取得された識別情報を一時的に記憶する。さらに、制御部４５には、演出部１２が接続されており、演出部１２には、表示部１３、発音部１５が接続されている。なお、発音部１５は、表示部１３の近傍が好適であるが、玩具本体２０において、取付け位置は任意である。
【００５０】
次に、玩具の動作を図１２〜図１３に基づいて説明する。先ず、図１２に基づいて、本発明にかかる第１・第２の演出を説明する。第１・第２の演出では、機能スイッチ（右腕用スイッチ３１Ａ、右脚用スイッチ３１Ｂ、左脚用スイッチ３１Ｃおよび左腕用スイッチ）を交換するとき、別の形態や色への変化を演出する。
【００５１】
図１２に示すように、スタートしたら（ステップＳＡＳ）、取外したい機能スイッチ３１Ａ〜３１ＤをＯＦＦにすると（ステップＳＡ１）、発音部１５は、ＯＦＦされたことを知らせる効果音を発する（ステップＳＡ２）。機能スイッチを取外し（ステップＳＡ３）、別の機能スイッチを取付けると（ステップＳＡ４）、第１検知手段４８が取付けを検知し、取得手段５１が機能スイッチの識別情報を取得する（ステップＳＡ５）。取得した識別情報に基づき、第１の演出として、発音部１５がガイダンス音、待機音を発し（ステップＳＡ６）、別の機能スイッチが備えられたことを知らせる。たとえば、白色という情報を有する機能スイッチから、赤色という情報を有する機能スイッチへ交換した場合、「レッド・・・」などの色のガイダンスを発した後、待機音を発する。そして、機能スイッチが取付けられてから所定時間内に機能スイッチがＯＮにされると（ステップＳＡ７）、識別情報に基づいて、フォームチェンジ音を発すると共に、画像１４の該当部位（たとえば、右腕用スイッチ３１Ａが交換されたときは画像１４の右腕の部位）を点灯、点滅あるいは変色する演出を行い（ステップＳＡ８）、演出完了となる（ステップＳＡ９）。一方、ステップＳＡ７で、機能スイッチを取付けてから所定時間内に機能スイッチがＯＮにされないときは、演出を完了する（ステップＳＡ９）。なお、本実施の形態では、機能スイッチを交換する場合について説明したが、必ずしも限られるものではなく、機能スイッチが取り付けられていない状態の玩具本体に機能スイッチを取り付けてもよい。その場合、本実施形態のステップＳＡ４の工程以下の流れで第１の演出、第２の演出を行わせることができる。
【００５２】
次に、図１３に基づいて、本発明にかかる第３・第４の演出を説明する。ここでは、画像全身の変身を演出する。図１３に示すように、機能スイッチの交換を完了し（ステップＳＢ１）、４個の変身スイッチ３２の全てをＯＮにすると（ステップＳＢ２）、４個の機能スイッチ３１Ａ〜３１Ｄの識別情報および組合せに基づき、第３の演出として、発音部１５は、変身スイッチ３２が操作されたことを知らせる効果音（たとえば、「ピコン・ピコン・ピコンピコン」）、および、これから変身が行われることを知らせる変身待機音（たとえば、スリー、ツー、ワン・・・などのカウントダウン音）を発する（ステップＳＢ３）。次に、操作効果音の発生から所定時間内に決定スイッチ３３がＯＮにされると（ステップＳＢ４）、識別情報および組合せに基づき、第４の演出として、発音部１５が変身音（たとえば、「オレンジ、ブラック・・・」など）を発すると共に、画像１４が変化し（ステップＳＢ５）、変身の演出が完了する（ステップＳＢ６）。一方、効果音の発生から所定時間内に決定スイッチ３３がＯＮにされないときは、終了する（ステップＳＢ７）。
【００５３】
次に、図１４に基づいて、第２の演出および第４の演出の他の態様を説明する。ここでは、機能を発動して技を決める演出を行う。
【００５４】
図１４に示すように、機能スイッチの交換を完了し（ステップＳＣ１）、少なくとも１個の機能スイッチをＯＮにすると（ステップＳＣ２）、機能スイッチの識別情報および組合せに基づき、第２の演出として、発音部１５は、機能が発動されたことを知らせる機能発動音（たとえば、「レッドミサイル・・・」など）を発し、同時に、表示部１３は、画像１４の該当部位（たとえば、左腕用スイッチがＯＮされたときは画像の左腕の部位）を点灯、点滅あるいは変色させる（ステップＳＣ３）。機能発動音が発生してから所定時間内に決定スイッチ３３がＯＮにされると（ステップＳＣ４）、ステップＳＣ５に進む。一方、機能発動音が発生してから所定時間内に決定スイッチ３３がＯＮにされないときは（ステップＳＣ４）、終了する（ステップＳＣ１１）。
【００５５】
ステップＳＣ５では、４個の機能スイッチ３１Ａ〜３１Ｄの全てがＯＮにされたか否かを判断する。４個の機能スイッチ３１Ａ〜３１Ｄの全てがＯＮであるときは、ステップＳＣ６に進み、識別情報および組合せに基づいて、第４の演出として、発音部１５が特殊な必殺技音を発し、表示部１３が特殊な画像１４の変化を行い、演出を完了する（ステップＳＣ８）。一方、全ての機能スイッチ３１Ａ〜３１ＤがＯＮでないときは、ステップＳＣ７に進み、第４の演出として、機能スイッチ３１Ａ〜３１Ｄの組合せに応じた通常の必殺技音を発し、通常の画像の変化を行い、演出を完了する（ステップＳＣ８）。
【００５６】
以上に述べた本実施形態によれば、使用者は、機能スイッチ３１Ａ〜３１Ｄの取り付けや交換を認識したときに演出される第１の演出を楽しむことができると共に、機能スイッチ３１Ａ〜３１Ｄを自ら操作して、好きなタイミングで、第２の演出を楽しむことができる。
【００５７】
また、変身スイッチ３２および決定スイッチ３３を操作して、第３の演出および第４の演出を楽しみながら、機能の発動や変身という疑似体験を楽しむことができる。
【００５８】
また、機能スイッチ３１Ａ〜３１Ｄは、個別の識別情報を有するため、使用者は、機能スイッチ３１Ａ〜３１Ｄの各々について、複数のスイッチを集め、これらを自由に組合せて、種々のパターンの演出を楽しむことができる。
【００５９】
さらに、図１６に示すように、機能スイッチ３１Ａ〜３１Ｄを円弧状に配列することにより、左腕用スイッチ３１Ｄおよび右腕用スイッチ３１Ａを、使用者側に寄せ、左脚用スイッチ３１Ｃおよび右脚用スイッチ３１Ｂを、左腕用スイッチ３１Ｄおよび右腕用スイッチ３１Ａに対して使用者から離れる側に構成にしたので、使用者が玩具１０を上から見たときに、使用者の右腕２、右脚３、左脚４、左腕５の位置と、機能スイッチ３１Ａ、３１Ｂ、３１Ｃ、３１Ｄの位置と、画像の各部位の位置とが、類似する。これにより、４個の機能スイッチ３１Ａ〜３１Ｄが、画像１４のどの部位に対応しているのかを認識しやすくなる。従って、変化させたい画像１４の部位に対応する機能スイッチ３１Ａ〜３１Ｄを容易に操作することができる。
【００６０】
加えて、玩具本体２０の前傾した上面に、表示部１３、機能スイッチ３１Ａ〜３１Ｄを配置したので、図４に示すように、表示部１３、機能スイッチ３１Ａ〜３１Ｄが、正面からよく見える。従って、使用者以外の人も、画像１４の変化やスイッチの操作を見て楽しむことができる。
【００６１】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６２】
１０    玩具
１１    ベルト
１２    演出部
１３    表示部
１４    画像
１５    発音部
２０    玩具本体
２１    円弧
２３Ａ〜２３Ｅ  取付け部
３１Ａ    右腕用スイッチ（可動部材）
３１Ｂ    右脚用スイッチ（可動部材）
３１Ｃ    左腕用スイッチ（可動部材）
３１Ｄ    左脚用スイッチ（可動部材）
３２    変身スイッチ（第２の操作部）
３３    決定スイッチ（第３の操作部）
４３    識別部
４８    第１検知手段（検知手段）
５１    取得手段
【図１】
2020138104.tif 000003
【図２】
2020138104.tif 000004
【図３】
2020138104.tif 000005
【図４】
2020138104.tif 000006
【図５】
2020138104.tif 000007
【図６】
2020138104.tif 000008
【図７】
2020138104.tif 000009
【図８】
2020138104.tif 000010
【図９】
2020138104.tif 000011
【図１０】
2020138104.tif 000012
【図１１】
2020138104.tif 000013
【図１２】
2020138104.tif 000014
【図１３】
2020138104.tif 000015
【図１４】
2020138104.tif 000016
【図１５】
2020138104.tif 000017
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
少なくとも１つの取付け部を有する玩具本体と、
第１の操作部が設けられ、前記取付け部に着脱可能に取付けられる可動部材を有し、
前記玩具本体に設けられ、光または音声による演出を行う演出部と、
前記玩具本体に設けられる制御部と、を備え、
前記制御部は、前記取付け部に取付けられた前記可動部材の第１の操作部が操作される前は、前記演出部により第１の演出を行い、さらに前記取付け部に取付けられた前記可動部材の第１の操作部が操作されたとき、前記演出部により第２の演出を行う動作玩具。
【請求項２】
前記玩具本体は、ベルトにより使用者に装着されるものであることを特徴とする請求項１記載の動作玩具。
【手続補正３】
【補正対象書類名】明細書
【補正対象項目名】０００９
【補正方法】変更
【補正の内容】
【０００９】
本発明の動作玩具は、少なくとも１つの取付け部を有する玩具本体と、前記玩具本体に設けられ、前記取付け部に着脱可能に取付けられる可動部材が前記取付け部に取付けられたことを検知する検知手段と、前記玩具本体に設けられ、光または音声による演出を行う演出部と、前記玩具本体に設けられる制御部と、を備え、前記制御部は、前記検知手段により、前記可動部材が前記玩具本体に取付けられたことを検知したとき、前記演出部により第１の演出を行い、さらに前記可動部材の第１の操作部が操作されたとき、前記演出部により第２の演出を行う。また、本発明の動作玩具は、少なくとも１つの取付け部を有する玩具本体と、第１の操作部が設けられ、前記取付け部に着脱可能に取付けられる可動部材を有し、前記玩具本体に設けられ、光または音声による演出を行う演出部と、前記玩具本体に設けられる制御部と、を備え、前記制御部は、前記取付け部に取付けられた前記可動部材の第１の操作部が操作される前は、前記演出部により第１の演出を行い、さらに前記取付け部に取付けられた前記可動部材の第１の操作部が操作されたとき、前記演出部により第２の演出を行うことを特徴とする。また、本発明の動作玩具は、前記玩具本体は、ベルトにより使用者に装着されるものであるようにしてもよい。